(57)【特許請求の範囲】
【請求項１】
内部に光源を装着するソケットを設けてなる箱形の照明器具本体の下端に、透光板を支持してなる枠体を開閉自在に軸着してなる照明器具の開閉構造において、
枠体の前端一部にロック機構を設け、同ロック機構と反対側の照明器具本体の内部に枠体を軸着し、
また照明器具本体の内壁に固定してなる支持体に、ソケットを回動自在に軸着し、また枠体の軸着部に近接して設けた回動軸とソケットの両側壁部を連結腕で軸着し、枠体を開くとソケットが下方向に移動し、またソケットの開き角度が枠体の開き角度より小さくなるように構成し、さらに枠体を水平にした状態で、ソケットが若干上方に傾斜して構成され、ソケットに光源を装着し枠体をロックした状態で光源が照明器具本体に対して水平になるように構成したことを特徴とする照明器具の開閉構造。
【発明の詳細な説明】
【０００１】
【発明の属する技術分野】
本発明は照明器具の開閉構造に関する。
【０００２】
【従来の技術】
従来、ガソリンスタンドの天井面等比較的高所に支持した照明器具は、照明器具内部のランプ交換作業を容易に行なうために、照明器具本体に枠体を開閉自在に軸着し、同枠体に前面ガラスを支持して構成してある。
また光源を装着するソケットは枠体に固定し、枠体と一緒に開閉するように構成してある。
そして枠体をほぼ垂直に開いた状態で、治具を用いてランプを交換することが実施されている。
【０００３】
【発明が解決しようとする課題】
ところで、照明器具本体と枠体を直接開閉機構で開閉自在に連結すると、開閉機構を一部に固定するので、開閉機構を固定できる厚さに枠体を構成しなければならない欠点がある。
またガソリンスタンドにおける照明器具の取り付け高さは、通常６ｍ程度である。しかしランプを交換する場合、６ｍ程度の長さに構成してなるランプ交換治具で作業者が下方よりランプを掴むのはなかなか難しい。特に上記した従来の構造のように、照明器具本体と枠体を直接開閉機構で開閉自在に連結すると、枠体と共にランプが横揺れし易くランプの交換作業に手数を要する欠点がある。
【０００４】
本発明は上記の諸点に鑑み発明したものであって、枠体を比較的薄く構成することができ、またランプ交換作業を容易に行なうことができ照明器具の開閉構造を提供することを目的とする。
【０００５】
【課題を解決するための手段】
上記課題を解決するために請求項１に記載の本発明は次の構成とする。つまり、内部に光源を装着するソケットを設けてなる箱形の照明器具本体の下端に、透光板を支持してなる枠体を開閉自在に軸着してなる照明器具の開閉構造に関する。枠体の前端一部にロック機構を設け、同ロック機構と反対側の照明器具本体の内部に枠体を軸着し、また照明器具本体の内壁に固定してなる支持体に、ソケットを回動自在に軸着してある。また枠体の軸着部に近接して設けた回動軸とソケットの両側壁部を連結腕で軸着し、枠体を開くとソケットが下方向に移動し、またソケットの開き角度が枠体の開き角度より小さくなるように構成してある。さらに枠体を水平にした状態で、ソケットが若干上方に傾斜して構成され、ソケットに光源を装着し枠体をロックした状態で光源が照明器具本体に対して水平になるように構成してある。同構造の照明器具の開閉構造によると、枠体を比較的薄く構成することができ、またランプの横揺れが少なく、ランプの交換作業を容易に行うことができる。
【０００６】
【発明の実施の形態】
以下本発明を図１および図２について説明する。図において、１は照明器具本体であって、箱形に構成してある。２は照明器具本体１の内部に固定してなる反射体、３は照明器具本体１の下面開口部に開閉自在に支持してなる枠体であって、透光性の前面ガラス４を支持して構成してある。５は枠体３の前端一部に配置したロック機構であって、支持片５の一部を押圧すると枠体３が開き、また枠体３を押し上げると、ロックがかかるように構成してある（特願平９−１１８６２７）。
７は枠体３を回動自在に構成するための回動軸、８は照明器具本体１の内壁に固定してなる一対の支持板であって、一定の間隔を有して構成してある。９は回動軸７に近接し、枠体３の端部付近に固定してなる支持腕取付体、１０はソケットと枠体３を連結してなる連結腕であって、ソケットの両端に一対配置して構成してある。
【０００７】
１１は支持板と支持板の間に回動自在に軸着してなるソケット、１２はソケット１１に装着してなる光源であって、例えば２００ワットの高圧放電ランプを用いて構成してある。１３はソケット支持体であって、ソケットと共に回動する。
【０００８】
１５はソケットに結線してなるリード線、１６は照明器具本体１の内部上壁に配置してなる束結端子台である。
【０００９】
さらにランプ交換に際して、枠体３を開いたときに、枠体３の開き角度がソケット１１の開き角度より例えば数度大きくなるように構成してある。このように構成すると、枠体を開いたときに、枠体はほぼ垂直になっても、ソケットに装着してなる光源は若干傾斜しており、作業者がランプ交換治具でランプを掴み易く作業が容易となる。
【００１０】
また枠体３を水平にした状態で、ソケット１１が若干上方に傾斜して構成され、枠体３をロックした状態でソケット１１が照明器具本体１に対して水平になるように構成してある。つまり枠体を閉じた状態で光源を装着するソケットが水平であると、光源の自重でソケットが若干下方に傾斜するので、枠体を閉じた状態でソケットを若干上向きにしておくと、光源を装着した状態で光源は水平になる。
【００１１】
次に上記構造の照明器具の開閉構造の開閉について説明する。
▲１▼図１に示すように、枠体３を閉じた状態において、照明器具の前端のロック機構の押釦を押圧すと、ロックが解除されて、枠体が開く。
▲２▼枠体を開くとき、ソケットを支持してなる軸を支点にソケットは回動する。▲３▼この時、枠体の軸着部に近接して設けた回動軸とソケットの両側壁部を連結腕で軸着してあるので、ソケットが下方向に移動し、さらにソケットの開き角度は枠体の開き角度より小さくなる。
▲４▼ソケットの移動角度は枠体の開き角度がソケットの開き角度より小さいので、枠体が垂直になっても、ランプは若干傾斜しており、作業者がランプ交換治具でランプを掴み易い。また枠体とソケットは連結腕を介して回動するので、ランプ交換治具の先端が枠体の一部あるいはランプの一部に触れても、従来の構造に較べランプの横揺れが少なく、ランプをランプ交換治具で掴み易い。
▲５▼枠体を閉じるときは、枠体の先端をランプ交換治具で押し上げることにより、容易に閉じることができる。
【００１２】
【発明の効果】
本発明は上記のように構成したので、照明器具本体に枠体を直接軸着した従来の構造に比較し、枠体を比較的薄く構成することができ、またランプ交換作業を容易に行うことができ、さらにソケットに光源装着し枠体をロックした状態で光源を水平に維持することができる特別な効果がある。
【図面の簡単な説明】
【図１】本発明に係る照明器具の開閉構造の断面図。
【図２】図１における枠体を開いたときの一部拡大断面図。
【符号の説明】
１  照明器具本体
２  反射体
３  枠体
４  前面ガラス
５  ロック機構
７  回動軸
８  支持板
９  支持腕取付体
１０  連結腕
１１  ソケット
１２  光源
１３  ソケット支持体
１５  リード線
１６  束結端子台
【図１】
0004088805.tif 000002
【図２】
0004088805.tif 000003